(57)【要約】【課題】広告宣伝を効率的に行うことができるとともに購買者による持ち出しを防止する店内専用買い物籠を提供する。【解決手段】合成樹脂により略長方矩形状に形成され、上面が開口されるとともに周壁に多数のスリット孔７が開口形成され、かつ上部開口縁には手提げ用の把手５が設けられた籠体２と、前記籠体２の周壁の上部側箇所に所定面積を有して一体に形成された無孔の平坦板部８，９とを備えている。平坦板部８，９の籠体外部側の面は、所属する店名、マーク、用途などを記載した文字、記号などが印刷形成された印刷面１０，１１とされ、平坦板部８，９の籠体内部側の面は、その表面に広告表示が印刷形成された広告用シート１２，１３の貼着面８ａ，９ａとされている。【選択図】      図４
0003126477.tif 000002
【実用新案登録請求の範囲】
【請求項１】
店内において購買者によって商品搬送のために使用される店内専用買物籠（１）であって、
合成樹脂により略長方矩形状に形成され、上面が開口されるとともに周壁に多数のスリット孔（７）が開口形成され、かつ上部開口縁には手提げ用の把手（５）が設けられた籠体（２）と、
前記籠体（２）の周壁の上部側箇所に所定面積を有して一体に形成された無孔の平坦板部（８，９）とを備え、
前記平坦板部（８，９）の籠体外部側の面は、所属する店名、マーク、用途などを記載した文字、記号などが印刷形成された印刷面（１０，１１）とされ、
前記平坦板部（８，９）の籠体内部側の面は、その表面に広告表示が印刷形成された広告用シート（１２，１３）の貼着面（８ａ，９ａ）とされているものであることを特徴とする店内専用買物籠。
【請求項２】
前記印刷面（１０，１１）のうち、前記籠体（２）の周壁の左右又は前後に対向する一方の面には、所属する店名、マークなどによる籠体（２）の所有を示す印刷が施されており、前記籠体（２）の周壁の左右又は前後に対向する他方の面には、店内専用などの籠体（２）の用途を示す印刷が施されていることを特徴とする請求項１に記載の店内専用買い物籠。
【請求項３】
前記貼着面（８ａ，９ａ）には、接着が容易且つ強力で、剥がした後に貼着面（８ａ，９ａ）に粘着剤が残存しない粘着剤により、前記広告用シート（１２，１３）が着脱自在に粘着されていることを特徴とする請求項１又は２に記載の店内専用買い物籠。
【請求項４】
前記平坦板部（８）は、前記籠体（２）周壁の長片側の開口縁近傍に形成されている請求項１乃至３のいずれか１項記載の店内専用買い物籠。
【請求項５】
前記平坦板部（９）は、前記籠体（２）周壁の短辺側の開口縁近傍に形成されている請求項１乃至４のいずれか１項記載の店内専用買物籠。
【考案の詳細な説明】
【技術分野】
【０００１】
本考案は、主としてスーパーマーケット等の店内で使用されるものであって、広告・宣伝効果を得るようにした店内専用買物籠に関するものである。
【背景技術】
【０００２】
従来、スーパーマーケット等の商店では、特別に宣伝したい商品や、販売企画イベントの紹介として、店内における各商品コーナー等の任意の場所に広告・宣伝（ＰＯＰ、以下ＰＯＰと略称する）を吊り、貼付けなどの形態で掲示している。
【考案の開示】
【考案が解決しようとする課題】
【０００３】
しかしながら、上述した従来では、購買者は通常目的の商品だけを目当てに来店するので、売場面積が広大で、商品棚によって区画が仕切られているスーパマーケットにおいては、各商品コーナーを隈なく巡ることが少なく、掲示された広告を見落とす恐れがあり、商店側で予期する広告宣伝効果を十分に得ることができないという課題があった。
【０００４】
そこで本考案は、上記課題を解消するために、来店する購買者のほとんどが手に取って使用するとともに、店内の至る所に存在する店内専用買い物籠に着目し、広告宣伝を効率的に行うことができるとともに購買者による無用な店外持ち出しが防止できる店内専用買い物籠を提供することを目的としている。
【課題を解決するための手段】
【０００５】
前記目的を達成するため本考案は、店内において購買者によって商品搬送のために使用される店内専用買物籠１であって、合成樹脂により略長方矩形状に形成され、上面が開口されるとともに周壁に多数のスリット孔７が開口形成され、かつ上部開口縁には手提げ用の把手５が設けられた籠体２と、前記籠体２の周壁の上部側箇所に所定面積を有して一体に形成された無孔の平坦板部８，９とを備えている。前記平坦板部８，９の籠体外部側の面は、所属する店名、マーク、用途などを記載した文字、記号などが印刷形成された印刷面１０，１１とされ、前記平坦板部８，９の籠体内部側の面は、その表面に広告表示が印刷形成された広告用シート１２，１３の貼着面８ａ，９ａとされているものであることを特徴とする。
【０００６】
前記印刷面１０，１１のうち、前記籠体２の周壁の左右又は前後に対向する一方の面１０には、所属する店名、マークなどによる籠体２の所有を示す印刷が施されており、前記籠体２の周壁の左右又は前後に対向する他方の面１１には、店内専用などの籠体２の用途を示す印刷が施されている。
【０００７】
前記貼着面８ａ，９ａには、接着が容易且つ強力で、剥がした後に貼着面８ａ，９ａに粘着剤が残存しない粘着剤により、前記広告用シート１２，１３が着脱自在に粘着されていることを特徴とする。
【０００８】
前記平坦板部８は、前記籠体２周壁の長片側の開口縁近傍に形成されている。
【０００９】
また、前記平坦板部９は、前記籠体２周壁の短辺側の開口縁近傍に形成されている。
【考案の効果】
【００１０】
本考案では、籠体外面の印刷がその店舗の宣伝をかねるとともに、所属、用途が明確になるため、誤って持帰られることも防止できる。しかも、購買者が買物籠を持った時点から、籠体内面のＰＯＰシートに印刷されたＰＯＰを必然的に目にするため、従来よりも広告・宣伝効果が高いものとなる。
【００１１】
籠体の長片側ではそれだけ面積が広いため、比較的大きく、人目につくＰＯＰを表示できる。
【００１２】
籠体の短辺側にＰＯＰを表示することにより、さらに広告・宣伝効果が高いものとなる。なお、ＰＯＰとしては同一内容のものであっても良いし、異なるものであっても良く、例えばその日の売出し内容のうちの主要となる主ＰＯＰと、サブＰＯＰである副ＰＯＰとの組合せや、関連づけられる商品のＰＯＰとすることができる。
【考案を実施するための最良の形態】
【００１３】
以下、本考案の最良の形態につき、添付図面を参照して説明する。
図１（ａ），（ｂ）は本考案にかかる店内専用買物籠（以下、買物籠と略称する）を段積み状態とした両側側面図、図２は同買物籠の基本形状を示す斜視図である。
【００１４】
図において、買物籠１は合成樹脂成形体からなるもので、実寸で長片長さ４５〜５０、短片長さ３０〜４０、深さ２０〜２５の逆台形状とした上部開口する籠体２と、籠体２の上部開口縁に一体形成された段積み用のフランジ３と、フランジ３の長片方向のそれぞれ２箇所に一体に突設されたヒンジ４に回動可能に係止されたコ字形をなす一対の把手５とを備えている。
【００１５】
この買物籠１は、店内の出入口近傍と、レジ近傍の商品積替え台横の２箇所に配置された移動式のキャスタ付ワゴン６に段積み状態に格納されており、購買者は、出入口で買物籠１を上から１つとり、店内で購入した商品を買物籠１に投入し、レジで購入した商品の代金を精算し、商品積替え台でレジ袋や自分の買物籠などに積替えた後、ワゴン６に戻す動作を行うようになっている。
【００１６】
一方、店員は、積替え台側ワゴン６が買物籠で一杯になると、これを出入口側に搬送し、次いで、出入口側で空になったワゴン６を商品積替え台側に戻す作業を繰返すようになっている。
【００１７】
以上の買物籠１における籠体２の周壁及び底板部には軽量化のための多数の肉抜き用のスリット孔７が開口形成されている。そして、周壁の長片方向の両側における中央上部側には一般部よりやや薄肉化された無孔の平坦板部８が、また短片方向の両側における中央上部側にも同じく一般部より薄肉化された無孔の平坦板部９が所定の面積を有して一体に形成されている。平坦板部８の面積は実寸で横長の葉書大であり、また平坦板部９の面積はこれよりやや小面積となっている。
【００１８】
そして、長片側の平坦板部８の外側の一方には、図１（ａ）に示すように、その買物籠１の所属を表す「○×商店」なる文字が印刷された印刷面１０が形成され、外側の他方には図１（ｂ）に示すように、買物籠１の用途を示す「店内専用」なる文字が印刷された印刷面１１が形成されており、同店の宣伝媒体とすると同時に、購買者が誤って当該買物籠１を持帰ってしまうことを防止するようになっている。なお、文字だけでなく、その店舗名を示す商号やマークなどの記号の組合わせ等の印刷も可能であることは勿論である。また、短片方向の平坦板部９の外側にも同じ内容の印刷面を形成しても良い。
【００１９】
そして、前記各平坦板部８，９の内側平坦面は図２に示すごとく、この状態のまま使用しても差支えないが、商品ＰＯＰシートの貼付け面として機能する貼着面８ａ，９ａとされている。
【００２０】
図３（ａ），（ｂ）、及び図４は各平坦板部８，９の内面側に貼着されるＰＯＰシートの一例を示している。まず、図３（ａ）は前記平坦板部８の面積に応じた縦横寸法の二枚の主ＰＯＰシート１２であり、この主ＰＯＰシート１２の表示面には、例えば売出し商品が白犬印のミルクを文字とイラストを交えて印刷している。
【００２１】
また、図３（ｂ）では前記平坦板部９に応じた縦横寸法の二枚の副ＰＯＰシート１３であり、この副ＰＯＰシート１３の表示面には、例えば売出し商品が兎印のコーヒーを文字とイラストを組合わせて印刷している。
【００２２】
いずれのＰＯＰシート１２，１３ともそれぞれ同一ＰＯＰを反復印刷した連続用紙を筋押し加工などにより切離し可能にしているとともに、その裏面には弱粘着剤１４（図４参照）が塗布され、予め裏面に貼着された剥離紙１５によって個々のＰＯＰシートとして切離し可能となっており、販売戦略などに応じてその宣伝日前日または開店前に、係員が図４に示すごとくそれぞれのＰＯＰシート１２，１３を平坦板部８，９の内面に貼着することで、買物籠１そのものを宣伝媒体として活用できる。このように、平坦板部８，９内面の貼着面８ａ，９ａには、接着が容易且つ強力で、剥がした後に貼着面８ａ，９ａに粘着剤が残存しない粘着剤により、ＰＯＰシート１２，１３が着脱自在に粘着されている
【００２３】
なお、図３，４の各ＰＯＰシート１２，１３の破線で示すミシン目により隅角部で囲われた部位は、弱粘着剤１４の非塗布部位１６であり、同ＰＯＰシート１２，１３が不要となった際には、この部位１６をミシン目を基点に指で起すことにより、各平坦板部８，９より容易に引き剥がすことが可能となっている。
【００２４】
従って、購買者が出入口付近で買物籠１を取上げようとするときには、図５の目線で示すように、必ず、籠体２の内面上部に設けられた長片側ＰＯＰシート１２と、短片側ＰＯＰシート１３が同時に目に付くため、双方のＰＯＰシート１２，１３を購買者が見ることで所要の宣伝効果を得ることになるのである。
【００２５】
なお、本実施形態では長片方向内面に対向して一対のＰＯＰシート１２を貼着し、短片方向内面に対向して別の内容の一対のＰＯＰシート１３を対向して貼付けたが、全ての箇所とも同一のＰＯＰ内容であっても良いし、４箇所とも異なったＰＯＰ内容のシートを貼付けることも可能であることも勿論である。
【００２６】
また、実施形態で示したＰＯＰ内容は架空のものであるが、実際の売出し内容に応じて、例えばミルクとコーヒーの関係等の関連づけされるものであっても良いし、相互には無関係であるが、その日の大安売品や、大量入荷品などをその販売戦略に応じて設定できることは勿論である。
【図面の簡単な説明】
【００２７】
【図１】（ａ）は本考案にかかる店内専用買物籠をワゴンに段積みした状態の一方の面を示す側面図、（ｂ）は同買物籠の他方の面を示す側面図である。
【図２】同買物籠の斜視図である。
【図３】（ａ），（ｂ）は同買物籠に貼着されるＰＯＰの一例を示す説明図である。
【図４】同ＰＯＰを買物籠に取付けた状態を示す斜視図である。
【図５】同買物籠におけるＰＯＰの見え方を示す説明用斜視図である。
【符号の説明】
【００２８】
１  買物籠
２  籠体
３  フランジ
４  ヒンジ
５  把手
６  ワゴン
７  スリット孔
８  長片側平坦板部
９  短片側平坦板部
８ａ，９ａ  貼着面
１０，１１  印刷面
１２  長片側広告用シートとしてのＰＯＰシート
１３  短辺側広告用シートとしてのＰＯＰシート
【図１】
0003126477.tif 000003
【図２】
0003126477.tif 000004
【図３】
0003126477.tif 000005
【図４】
0003126477.tif 000006
【図５】
0003126477.tif 000007